(57)【要約】【課題】カッタユニットに支持棹の周方向に回動する負荷が加わっても、柔軟弾性体の係合部分防振部が係合突部と係合凹部との間で押し潰されて破損することのない刈払機を提供する。【解決手段】刈払機１０は、支持棹１１の前端部に設けたカッタユニット２０と、支持棹１１の前端部とカッタユニット２０の前端ハウジング２１の取付部２１ｃとの間に防振のための筒形の柔軟弾性体１２とを備え、柔軟弾性体１２には支持棹１１の係合凹部１１ａと前端ハウジング２１の係合突部２１ｄとの係合部分の間に介装された係合部分防振部１２ｂと、係合凹部１１ａと係合突部２１ｄとが間隙を設けて対向するように形成された切欠き部１２ｃとを設け、係合突部２１ｄには切欠き部１２ｃを形成した位置に係合部分防振部１２ｂの厚みより小さく係合凹部１１ａに向けて突出したストッパ部２１ｅを設けた。【選択図】図２
2014117263.tif 000002
【特許請求の範囲】
【請求項１】
支持棹と、
前記支持棹の前端部に固定された前端ハウジングと、前記前端ハウジングに回転可能に支持した回転軸に取り付けた回転刃とを有したカッタユニットと、
前記支持棹の前端部と、前記支持棹の前端部が取り付けられる前記前端ハウジングの取付部との間に介装されて、前記カッタユニットの振動が前記支持棹に伝達するのを抑制する筒形の柔軟弾性体とを備え、
前記支持棹の前端部または前記前端ハウジングの取付部の一方には係合突部、他方には前記係合突部に係合して前記前端ハウジングを前記支持棹に対して回り止めするための係合凹部を設け、
前記柔軟弾性体には、前記係合突部と前記係合凹部との係合部分の間に介装された係合部分防振部と、前記係合突部と前記係合凹部とが間隙を設けて対向するように形成された切欠き部とが設けられており、
前記係合突部または前記係合凹部の一方には前記切欠き部を形成した位置に前記係合部分防振部の厚みより小さく前記係合突部または前記係合凹部の他方に向けて突出したストッパ部を設けたことを特徴とする刈払機。
【請求項２】
請求項１に記載の刈払機において、
前記前端ハウジングは２つのパーツを連結したものであり、前記２つのパーツを前記支持棹の前端部を挟むようにして前記支持棹の前端部に固定したことを特徴とする刈払機。
【発明の詳細な説明】
【技術分野】
【０００１】
本発明は、草や芝等を刈り払う刈払機に関する。
【背景技術】
【０００２】
特許文献１には、支持棹と、支持棹の前端部にカッタユニットとを備えた刈払機が開示されている。この刈払機のカッタユニットは、支持棹の前端部に固定された前端ハウジングと、前端ハウジングに収容した電動モータと、前端ハウジングに回転可能に支持されて電動モータにより回転する回転軸と、回転軸に取り付けた回転刃とを有している。
【先行技術文献】
【特許文献】
【０００３】
【特許文献１】実開昭６３−０５８５３２号公報
【発明の概要】
【発明が解決しようとする課題】
【０００４】
このような刈払機においては、支持棹の前端部と、支持棹の前端部を取り付ける前端ハウジングの取付部との間に筒形の柔軟弾性体を介装すると、カッタユニットの振動が支持棹を把持する作業者に伝わるのを抑制できる。
【０００５】
また、支持棹の前端部の周面には係合凹部を形成し、前端ハウジングの取付部には係合凹部に係合する係合突部を形成することで、前端ハウジングが支持棹の周方向に回るのを防ぐことができる。このとき、支持棹の前端部と前端ハウジングの取付部との間に介装した筒形の柔軟弾性体には支持棹の係合凹部が形成された位置に開口部を形成し、前端ハウジングの係合突部が開口部を通って係合凹部に係合するようにする。柔軟弾性体の開口部周縁に係合突部と係合凹部の係合部分の間に延出する係合部分防振部を設けることで、カッタユニットの振動が係合部分から支持棹に伝達するのを抑制することができる。
【０００６】
しかし、回転刃を切り株等に当てた場合等、カッタユニットに支持棹の周方向に回動する負荷が加わると、柔軟弾性体の係合部分防振部が係合突部と係合凹部との間で押し潰されて破損するおそれがあった。本発明は、カッタユニットに支持棹の周方向に回動する負荷が加わっても、柔軟弾性体の係合部分防振部が係合突部と係合凹部との間で押し潰されて破損することのない刈払機を提供することを目的とする。
【課題を解決するための手段】
【０００７】
上記課題を解決するために、本発明は、支持棹と、支持棹の前端部に固定された前端ハウジングと、前端ハウジングに回転可能に支持した回転軸に取り付けた回転刃とを有したカッタユニットと、支持棹の前端部と、支持棹の前端部が取り付けられる前端ハウジングの取付部との間に介装されて、カッタユニットの振動が支持棹に伝達するのを抑制する筒形の柔軟弾性体とを備え、支持棹の前端部または前端ハウジングの取付部の一方には係合突部、他方には係合突部に係合して前端ハウジングを支持棹に対して回り止めするための係合凹部を設け、柔軟弾性体には、係合突部と係合凹部との係合部分の間に介装された係合部分防振部と、係合突部と係合凹部とが間隙を設けて対向するように形成された切欠き部とが設けられており、係合突部または係合凹部の一方には切欠き部を形成した位置に係合部分防振部の厚みより小さく係合突部または係合凹部の他方に向けて突出したストッパ部を設けたことを特徴とする刈払機を提供するものである。
【０００８】
上記のように構成した刈払機においては、カッタユニットに支持棹の周方向に回動する負荷が加わっても、柔軟弾性体の係合部分防振部が係合突部と係合凹部との間で押し潰される前に、ストッパ部がこれに対向する係合突部または係合凹部に当接することになり、柔軟弾性体の係合部分防振部が係合突部と係合凹部との間で押し潰されて破損しないようになる。
【０００９】
上記のように構成した刈払機においては、前端ハウジングは２つのパーツを連結したものであり、２つパーツを支持棹の前端部を挟むようにして支持棹の前端部に固定したときには、組み付け作業が容易となる。
【図面の簡単な説明】
【００１０】
【図１】本発明の刈払機の一実施形態を示す斜視図である。
【図２】図１の前端部の縦方向断面図である。
【図３】柔軟弾性体の斜視図である。
【図４】図２のＡ−Ａ断面図（係合部分防振部のある部分）である。
【図５】図２のＢ−Ｂ断面図（切欠き部のある部分）である。
【発明を実施するための最良の形態】
【００１１】
以下、本発明の刈払機の一実施形態を図面を参照して説明する。図１に示したように、刈払機１０は、前後方向に延びる中空の棒状の支持棹１１と、支持棹１１の前端部にカッタユニット２０と、支持棹１１の後端部にコントローラユニット３０とを備えている。
【００１２】
図２に示したように、支持棹１１の前端部の左右両側部には長手方向に延びる長孔よりなる係合凹部１１ａが形成されている。また、支持棹１１の前端部の上部には円形の位置決め孔１１ｂが形成されている。支持棹１１の前端部には略円筒形をしたゴム材よりなる柔軟弾性体１２を介してカッタユニット２０の前端ハウジング２１が固定されている。
【００１３】
前端ハウジング２１は繊維強化をした合成樹脂よりなる左右のパーツ２１ａ，２１ｂを連結したものであり、２つのパーツ２１ａ，２１ｂを支持棹１１の前端部を挟むようにして支持棹１１の前端部に固定している。図２に示したように、支持棹１１の前端部に取り付けた前端ハウジング２１の取付部２１ｃの左右両側部には支持棹１１の係合凹部１１ａに係合する長円形をした係合突部２１ｄが形成されている。係合突部２１ｄは支持棹１１の係合凹部１１ａに係合して、前端ハウジング２１が支持棹１１に対して周方向に回るのを防ぐとともに、前端ハウジング２１が支持棹１１から抜けて外れるのを防ぐ機能を有している。なお、係合突部２１ｄと係合凹部１１ａとの間に後述する柔軟弾性体１２の係合部分防振部１２ｂを介装できるように、係合突部２１ｄの外径は係合凹部１１ａの内径より小さく形成されている。係合突部２１ｄの長手方向の中間部には係合凹部１１ａに向けて突出したストッパ部２１ｅが形成されている。ストッパ部２１ｅは係合凹部１１ａと係合突部２１ｄとの間隔の略半分の高さに突出している。
【００１４】
図２に示したように、支持棹１１の前端部の外周面と前端ハウジング２１の取付部２１ｃとの間に介装した柔軟弾性体１２は、カッタユニット２０の振動を支持棹１１に伝達するのを抑制するためのものである。図２及び図３に示したように、柔軟弾性体１２の左右両部には取付部２１ｃの係合突部２１ｄを支持棹１１の係合凹部１１ａに挿通させるための長円形の開口部１２ａが形成されている。図２、図４及び図５に示したように、柔軟弾性体１２の開口部１２ａの周縁部には長手方向の中間部を除く部分に内側に延出して係合凹部１１ａと係合突部２１ｄとの間に介装された係合部分防振部１２ｂと、開口部１２ａの長手方向の中間部に係合凹部１１ａと係合突部２１ｄとが間隙を設けて対向するように形成された切欠き部１２ｃとが設けられている。
【００１５】
係合部分防振部１２ｂはカッタユニット２０の振動が係合突部２１ｄから係合凹部１１ａに伝達するのを抑制する機能を有している。切欠き部１２ｃが形成された位置において、係合突部２１ｄに形成されたストッパ部２１ｅは係合凹部１１ａに向けて突出して形成されており、係合部分防振部１２ｂの厚みのより小さく、具体的には係合部分防振部１２ｂの厚みの略半分の長さで係合凹部１１ａに向けて突出している。このとき、ストッパ部２１ｅの先端は僅かな間隙を設けた状態で係合凹部１１ａに対向している。柔軟弾性体１２の上部の上面及び下面には位置決めのための突部１２ｄ，１２ｅが形成されており、柔軟弾性体１２の上面の突部１２ｄは前端ハウジング２１の取付部２１ｃの上部に形成された位置決めのための凹部２１ｆに係合し、柔軟弾性体１２の下面の突部１２ｅは支持棹１１の位置決め孔１１ｂに係合している。
【００１６】
前端ハウジング２１の前後方向の中間部には電動モータ２２が収容されている。電動モータ２２の出力軸２２ａには減速機構２３を構成する減速ギヤ２３ａが係合している。減速ギヤ２３ａは回転軸２３ｂに一体的に固定されており、回転軸２３ｂは軸受け２３ｃ，２３ｄにより前端ハウジング２１に回転可能に支持されている。
【００１７】
回転軸２３ｂの先端部には刃受具２４がスプライン係合により一体的に固定されている。刃受具２４の下側には回転刃２５が着脱可能に取り付けられている。回転刃２５は周部に刃部が形成された略円板形状をしている。回転軸２３ｂの下部には回転刃２５の下側に回転刃２５を刃受具２４に押さえつけるための刃押え具２６が着脱可能に取り付けられている。刃押え具２６の下側には回転軸２３ｂの下端部を保護するカバー２７が着脱可能に取り付けられている。回転軸２３ｂの先端部には雌ねじよりなるねじ部が形成されており、このねじ部にはナット２８が係合している。ナット２８は回転刃２５を刃受具２４と刃押え具２６とにより狭持させた状態で回転軸２３ｂに固定し、カバー２７を刃押え具２６に押しつけるようにして回転軸２３ｂに固定するためのものである。
【００１８】
図１に示したように、コントローラユニット３０は、主として、後端ハウジング３１と、制御回路（図示省略）とから構成される。後端ハウジング３１は支持棹１１の後端部に固定されている。後端ハウジング３１の後部にはバッテリーパック３２が着脱可能に取り付けられている。なお、バッテリーパック３２は支持棹１１の内部に配設された図示しないコードによりカッタユニット２０の電動モータ２２に電気的に接続されている。また、後端ハウジング３１の上面にはカッタユニット２０の電動モータ２２の回転速度を調整する操作つまみ３３が設けられている。
【００１９】
図１に示したように、支持棹１１の前端部にはカバー４０が設けられている。カバー４０はカッタユニット２０の回転刃２５の後側を覆うものである。支持棹１１の前後方向の中間部にはハンドル４１が固定されている。ハンドル４１は前後方向と交差する左右方向に延び、中間部から上側に湾曲している。ハンドル４１の左右の両端部には作業者が把持するグリップ４２，４２が設けられている。
【００２０】
上記のように構成した刈払機１０は、バッテリーパック３２からの給電によりカッタユニット２０の電動モータ２２を作動させると、出力軸２２ａに係合した減速ギヤ２３ａを介して回転軸２３ｂが回転し、回転軸２３ｂに固定された回転刃２５が回転する。作業者は左右の手でハンドル４１の両グリップ４２，４２を把持し、前端のカッタユニット２０の回転刃２５を地面から生える草や芝に当てることで、草や芝が刈り取られる。
【００２１】
上記のように構成した刈払機１０においては、カッタユニット２０の振動は支持棹１１の前端部の外周面と前端ハウジング２１の取付部２１ｃとの間に介装した柔軟弾性体１２により支持棹１１に伝達しないように抑制されている。
【００２２】
また、支持棹１１の前端部の左右両側部には長手方向に延びる長孔よりなる係合凹部１１ａが形成され、前端ハウジング２１の取付部２１ｃの左右両側部には支持棹１１の係合凹部１１ａに係合する長円形をした係合突部２１ｄが形成されている。前端ハウジング２１の係合突部２１ｄが支持棹１１の係合凹部１１ａに係合して、前端ハウジング２１が支持棹１１に対して周方向に回るのを防ぐとともに、前端ハウジング２１が支持棹１１から抜けて外れるのが防止されている。
【００２３】
この刈払機１０においては、支持棹１１の前端部の外周面と前端ハウジング２１の取付部２１ｃとの間に介装した柔軟弾性体１２は、支持棹１１の係合凹部１１ａと前端ハウジング２１の取付部２１ｃの係合突部２１ｄとの間に介装された係合部分防振部１２ｂと、係合凹部１１ａと係合突部２１ｄとが間隙を設けて対向するように形成された切欠き部１２ｃとが設けられている。係合突部２１ｄには切欠き部１２ｃが形成された位置に係合部分防振部１２ｂの厚みより小さく係合凹部１１ａに向けて突出したストッパ部２１ｅが形成されている。ストッパ部２１ｅはこの実施形態では係合部分防振部１２ｂの厚みの略半分の長さで突出し、係合凹部１１ａとの間に僅かな間隙が設けられている。
【００２４】
図４に示したように、前端ハウジング２１の振動は柔軟弾性体１２の係合部分防振部１２ｂにより係合突部２１ｄから支持棹１１の係合凹部１１ａに伝達されるのが抑制されている。このとき、図５に示したように、前端ハウジング２１の係合突部２１ｄに形成したストッパ部２１ｅは支持棹１１の係合凹部１１ａとの間で係合部分防振部１２ｂの厚みの略半分の間隙を設けた状態で離間しているので、前端ハウジング２１の係合突部２１ｄの振動はストッパ部２１ｅから支持棹１１の係合凹部１１ａに伝達されない。
【００２５】
この刈払機１０において、カッタユニット２０の回転刃２５を切り株や石等に当てたときに、カッタユニット２０に支持棹１１の周方向に回動する負荷が加わることがある。このとき、柔軟弾性体１２の係合部分防振部１２ｂが係合凹部１１ａと係合突部２１ｄとの間で押し潰される前に、前端ハウジング２１の係合突部２１ｄのストッパ部２１ｅが係合凹部１１ａに当接するので、柔軟弾性体１２の係合部分防振部１２ｂが破損するのを防ぐことができる。
【００２６】
この刈払機１０においては、前端ハウジング２１は左右のパーツ２１ａ，２１ｂを連結したものである。支持棹１１の前端部の外周面には円筒形をした柔軟弾性体１２を取り付けておき、前端ハウジング２１の左右のパーツ２１ａ，２１ｂの各々の係合突部２１ｄを支持棹１１の各々の係合凹部１１ａに係合させた状態にして、左右のパーツ２１ａ，２１ｂを支持棹１１の前端部を挟むようにして支持棹１１の前端部に固定した。このようにしたことで、支持棹１１に対してカッタユニット２０の前端ハウジング２１の組み付け作業が容易となった。
【００２７】
上記のように構成した刈払機１０においては、前端ハウジング２１の係合突部２１ｄにストッパ部２１ｅを設けたが、本発明はこれに限られるものでなく、支持棹１１の係合凹部１１ａにストッパ部を設けたものであってもよい。このようにしたときにも、カッタユニット２０に支持棹１１の周方向に回動する負荷が加わることがあっても、ストッパ部が前端ハウジング２１の係合突部に当接して、柔軟弾性体１２の係合部分防振部１２ｂが破損するのを防ぐことができる。
【００２８】
また、上記のように構成した刈払機１０においては、支持棹１１に係合凹部１１ａを設け、前端ハウジング２１には係合凹部１１ａに係合する係合突部２１ｄを設けたが、本発明はこれに限られるものでなく、支持棹１１に係合突部を設け、前端ハウジング２１には支持棹１１の係合突部に係合する係合凹部を設けたものであってもよい。このようにしたときにも柔軟弾性体１２の係合部分防振部１２ｂにより前端ハウジング２１の振動を係合凹部から支持棹の係合突部に伝わるのを抑制することができる。また、カッタユニット２０に支持棹１１の周方向に回動する負荷が加わっても、係合突部または係合凹部の一方に設けたストッパ部が係合突部または係合凹部の他方に当接することで、上述したのと同様に係合部分防振部１２ｂが破損するのを防ぐことができる。
【００２９】
上記のように構成した刈払機１０においては、カッタユニット２０には前端ハウジング２１内に回転刃２５を回転させる電動モータ２２を収容した。本発明はこれに限られるものでなく、後端ハウジング３１に電動モータまたはエンジン等の原動機を収容し、原動機の駆動を支持棹１１内に介装した駆動軸によりカッタユニット２０の回転刃２５に伝達させるようにしたものであっても同様の作用効果を得ることができる。
【符号の説明】
【００３０】
１０…刈払機、１１…支持棹、１１ａ…係合凹部、１２…柔軟弾性体、１２ｂ…係合部分防振部、１２ｃ…切欠き部、２０…カッタユニット、２１…前端ハウジング、２１ａ，２１ｂ…パーツ、２１ｃ…取付部、２１ｄ…係合突部、２１ｅ…ストッパ部。
【図１】
2014117263.tif 000003
【図２】
2014117263.tif 000004
【図３】
2014117263.tif 000005
【図４】
2014117263.tif 000006
【図５】
2014117263.tif 000007